(57)【要約】【課題】撮像装置に取り付けられるレンズフードの部品点数を少なくすると共に、バリア開閉の操作感を向上させる。【解決手段】レンズフード１１０のバリア１１１は、バリア回転軸３１１を中心として回転可能であり、バリア１１１のカムシャフト３１３をスライド部材２０４のカムガイド穴３１５に挿通させ、スライド部材２０４のスライド操作によりバリア１１１を閉位置と開位置との間で移動させる。カムガイド穴３１５をスライド部材２０４のスライド方向と直交する方向に沿ってバリア回転軸３１１から離れるに従って幅の広がる形状とし、反転ばね２０６によりバリア１１１を閉位置と開位置の各位置で付勢する。スライド部材２０４をスライドさせた際に、カムシャフト３１３がカムガイド穴３１５の側面に当接していない状態では、反転ばね２０６はバリア１１１を閉位置側へ付勢する構成とする。【選択図】図３
2014126792.tif 000002
【特許請求の範囲】
【請求項１】
撮像装置に対して撮像レンズの前方に取り付けられるレンズフードであって、
前記撮像レンズを保護する閉位置と前記撮像レンズに被写体からの反射光を取り入れて被写体の撮像を可能とする開位置との間を移動可能なバリア部材と、
所定のスライド方向にスライドさせることにより前記バリア部材を前記閉位置と前記開位置との間で移動させるスライド部材と、
前記バリア部材を前記開位置側と前記閉位置側のそれぞれに付勢し、前記バリア部材が前記閉位置と前記開位置との間で移動する間に前記バリア部材に対する付勢力の方向が切り替わる反転ばねと、を備え、
前記撮像レンズを保護する閉位置と前記撮像レンズに被写体からの反射光を取り入れて被写体の撮像を可能とする開位置との間を移動可能なバリア部材と、
所定のスライド方向にスライドさせることにより前記バリア部材を前記閉位置と前記開位置との間で移動させるスライド部材と、
前記バリア部材を前記開位置側と前記閉位置側のそれぞれに付勢し、前記バリア部材が前記閉位置と前記開位置との間で移動する間に前記バリア部材に対する付勢力の方向が切り替わる反転ばねと、を備えることを特徴とするレンズフード。
【請求項２】
前記バリア部材は、カムシャフトが設けられるとともに前記反転ばねが取り付けられた回転軸を中心とした回転動作により移動可能であり、
前記スライド部材は、前記スライド部材の前記スライド方向と直交する方向に沿って前記回転軸から離れるに従って幅の広がる形状を有する前記カムシャフトが挿通されるカムガイド穴を有し、
前記スライド部材を前記スライド方向においてスライドさせた際に、前記カムシャフトが前記カムガイド穴の側面に当接していない状態では、前記反転ばねは前記バリア部材を前記閉位置側へ付勢することを特徴とする請求項１に記載のレンズフード。
【請求項３】
前記スライド部材を前記スライド方向においてスライドさせた際に、前記カムシャフトが前記カムガイド穴の側面に当接した状態で、前記バリア部材を付勢する前記反転ばねの付勢力の方向が切り替わることを特徴とする請求項２に記載のレンズフード。
【請求項４】
前記バリア部材を前記閉位置から前記開位置へ移動させるために前記スライド部材をスライドさせたときに、前記カムシャフトが前記カムガイド穴の側面と当接する位置で、前記バリア部材の回転方向に分力が発生することを特徴とする請求項２又は３に記載のレンズフード。
【請求項５】
前記バリア部材が開位置にあるときの前記反転ばねの付勢力は、前記バリア部材が閉位置にあるときの前記反転ばねの付勢力よりも大きいことを特徴とする請求項１乃至４のいずれか１項に記載のレンズフード。
【請求項６】
請求項１乃至５のいずれか１項に記載のレンズフードを備えることを特徴とする撮像装置。
【発明の詳細な説明】
【技術分野】
【０００１】
本発明は、レンズフードと、レンズフードが取り付けられる撮像装置に関する。
【背景技術】
【０００２】
ビデオカメラを使用するときに、撮像レンズ鏡筒に入光する有害光を遮光するレンズフードを取り付けることがある。このようなレンズフードとして、有害光の遮光機能に加えて、撮像レンズ前玉部を保護すると共に、未使用時に撮像レンズ内に集光して内部が高温になることを防ぐためのバリア機能を備えたものが提案されている（特許文献１参照）。
【先行技術文献】
【特許文献】
【０００３】
【特許文献１】特開２００５−１７５２３号公報
【発明の概要】
【発明が解決しようとする課題】
【０００４】
しかしながら、上記特許文献１に記載されたレンズフードは、上下に２枚のバリア部材を有しているために、部品点数が多く、構造が複雑であるという問題がある。また、構造が複雑であるが故に、バリア開閉の操作感を向上させることが難しい。
【０００５】
本発明は、部品点数を少なくすると共に、バリア開閉の操作感を向上させたレンズフードを提供することを目的とする。
【課題を解決するための手段】
【０００６】
本発明に係るレンズフードは、撮像装置に対して撮像レンズの前方に取り付けられるレンズフードであって、前記撮像レンズを保護する閉位置と前記撮像レンズに被写体からの反射光を取り入れて被写体の撮像を可能とする開位置との間を移動可能なバリア部材と、所定のスライド方向にスライドさせることにより前記バリア部材を前記閉位置と前記開位置との間で移動させるスライド部材と、前記バリア部材を前記開位置側と前記閉位置側のそれぞれに付勢し、前記バリア部材が前記閉位置と前記開位置との間で移動する間に前記バリア部材に対する付勢力の方向が切り替わる反転ばねと、を備え、前記撮像レンズを保護する閉位置と前記撮像レンズに被写体からの反射光を取り入れて被写体の撮像を可能とする開位置との間を移動可能なバリア部材と、所定のスライド方向にスライドさせることにより前記バリア部材を前記閉位置と前記開位置との間で移動させるスライド部材と、前記バリア部材を前記開位置側と前記閉位置側のそれぞれに付勢し、前記バリア部材が前記閉位置と前記開位置との間で移動する間に前記バリア部材に対する付勢力の方向が切り替わる反転ばねと、を備えることを特徴とする。
【発明の効果】
【０００７】
本発明に係るレンズフードによれば、部品点数を少なくすると共に、バリア開閉の操作感を向上させることができる。
【図面の簡単な説明】
【０００８】
【図１】本発明の実施形態に係るビデオカメラの外観構成を示す斜視図である。
【図２】図１に示すレンズフードを単体で示す斜視図である。
【図３】図２に示すレンズフードを構成するフード前カバーの構成を示す側面図及び斜視図と、内部部品の構造を示す斜視図である。
【図４】図２に示すレンズフードからフード後カバーを外した状態で、バリアが閉位置、中立位置及び開位置との間で移動する様子を示す側面図である。
【図５】図２に示すレンズフードを構成するスライド部材に設けられたカムガイド穴の位置の変化を示す図である。
【図６】図２に示すレンズフードを構成するフード後カバーを単体で示す背面図及びフード前カバーを取り付けて示す背面図である。
【図７】図２に示すレンズフードが備えるバリアが開位置にあるときのレンズフードのｘ−ｙ断面図である。
【発明を実施するための形態】
【０００９】
以下、本発明の実施形態について、添付図面を参照して詳細に説明する。ここでは、本発明に係るレンズフードを撮像装置の一例であるデジタルビデオカメラ（以下「ビデオカメラ」という）に取り付けた構成を取り上げる。但し、本発明はこれに限定されるものではなく、本発明に係るレンズフードは、その他の撮像装置（例えば、一眼レフカメラ等）にも適用することができる。
【００１０】
＜ビデオカメラの外観構成＞
図１は、本発明の実施形態に係るビデオカメラ１０１の外観構成を示す斜視図である。なお、以下の説明では、図１に示す三次元直交座標系に基づいて、ビデオカメラ１０１の各構成要素について説明を行うこととする。ビデオカメラ１０１のレンズ光軸（撮影光軸）と平行方向をｘ方向とする。このうち、光軸方向被写体側である＋ｘ方向を「前」とし、光軸方向撮像素子側である−ｘ方向を「後」とする。また、ビデオカメラ１０１を正姿勢に保持した状態でビデオカメラ１０１を前側から見たときの水平方向である＋ｚ方向を「右」とし、−ｚ方向を「左」とする。更に、ビデオカメラ１０１を正姿勢に保持した状態でビデオカメラ１０１を前側から見たときの鉛直方向をｙ方向とする。ｙ方向のうち、鉛直方向上向きである＋ｙ方向を「上」とし、鉛直方向下向き（重力方向）である−ｙ方向を「下」とする。
【００１１】
図１（ａ）には、ビデオカメラ１０１の本体のみが示されている。ビデオカメラ１０１は、一般的なデジタルビデオカメラであり、撮像レンズ前玉部１０３を本体の前面に有し、本体右側面には開閉（収納）可能な表示部１０４を有し、本体左側面には把持部１０５を有する。ビデオカメラ１０１の撮像レンズ前玉部１０３の下側には、光学部材開口部１０６が設けられている。また、ビデオカメラ１０１の光学部材開口部１０６の後ろ側には、測距センサや発光部、受光部等の光学部材が配置されている。なお、光学部材開口部１０６の後ろ側には、光学部材以外にも、集音用マイク等の開口が必要な部材を配置してもよい。本実施形態では測距センサが配置されているものとする。
【００１２】
ビデオカメラ１０１では、撮像レンズ前玉部１０３の周辺の３カ所にフード係合部１０７が設けられている。また、ビデオカメラ１０１のフード係合部１０７の外周の後ろ側に円形の回転操作部材１０８が設けられている。ビデオカメラ１０１の上面において回転操作部材１０８の後ろ側には、集音マイク１０９が設けられている。
【００１３】
図１（ｂ），（ｃ）は、ビデオカメラ１０１の本体にレンズフード１１０が装着された状態を示している。図１（ｂ）は、レンズフード１１０の開状態（バリア部材（以下「バリア」という）１１１が開位置にある状態）を示す図である。図１（ｃ）は、レンズフード１１０の閉状態（バリア１１１が閉位置にある状態）を示す図である。
【００１４】
レンズフード１１０は、撮像レンズ前玉部１０３の前方に取り付けられ、撮像レンズ前玉部１０３に入光する有害光を遮光するフードとして機能する。また、レンズフード１１０は、バリア１１１を備える。バリア１１１は、撮像レンズ前玉部１０３を保護すると共に、ビデオカメラ１０１の未使用時に撮像レンズ前玉部１０３を通じた撮像レンズ内での集光によって内部が高温になることを防ぐ。バリア１１１が開位置にある図１（ｂ）の状態は、被写体の撮像を行うことができる使用状態を示している。図１（ｂ）の状態では、バリア１１１は、撮像レンズ前玉部１０３を通して撮像レンズ鏡筒（不図示）への被写体からの反射光の入射が可能である。一方、バリア１１１が閉位置にある図１（ｃ）の状態は、撮像レンズ前玉部１０３と本体内部を保護する状態を示している。図１（ｃ）の状態では、バリア１１１は、撮像レンズ前玉部１０３を通して撮像レンズ鏡筒（不図示）への光の入射を遮る。
【００１５】
レンズフード１１０は、バリア操作ノブ１１２を備えている。レンズフード１１０は、バリア操作ノブ１１２を下側に移動させると開状態（バリア１１１が開位置）となり、上側に移動させると閉状態（バリア１１１が閉位置）となる。レンズフード１１０には、レンズフード１１０が装着された状態において光学部材開口部１０６が遮蔽されることのないように、開口部１１３が設けられている。図１（ｃ）に示すように、本実施形態では、バリア１１１は閉位置にあるときに光学部材開口部１０６を遮蔽しない構成となっているが、これに限られず、バリア１１１が閉位置にあるときには光学部材開口部１０６も閉口される構成としてもよい。
【００１６】
＜レンズフードの構成の詳細＞
図２は、レンズフード１１０を単体で示す斜視図であり、レンズフード１１０を見る方向を変えて（ａ）〜（ｄ）に示している。図２（ａ）は、レンズフード１１０の右側外観斜視図である。レンズフード１１０は、外観に表出するフード前カバー２０１、フード後カバー２０２、バリア操作ノブ１１２及びバリア１１１と、外観には表出しない後述の内部部材とで構成される。後に詳細に説明する通り、バリア１１１は１枚で構成されており、これにより、バリア１１１にブランドロゴを表示させたい場合は、ブランドロゴをバリア１１１の中央に分割せずに表示することが可能となっている。
【００１７】
図２（ｂ）は、レンズフード１１０の左側外観斜視図である。レンズフード１１０の後ろ面には、ビデオカメラ１０１の本体に設けられた３カ所のフード係合部１０７のそれぞれと係合する係合爪２０３が設けられている。
【００１８】
図２（ｃ）は、レンズフード１１０からフード後カバー２０２を除いた状態を示す右側斜視図である。図２（ｄ）は、レンズフード１１０からフード後カバー２０２を除いた状態を示す左側斜視図である。レンズフード１１０を構成する前述の内部部材とは、スライド部材２０４、ダンパ２０５及び反転ばね２０６からなる。スライド部材２０４は、バリア操作ノブ１１２と接続されることで、バリア１１１と一体的に動く。ダンパ２０５は、スライド部材２０４の動きを緩和する。反転ばね２０６は、本実施形態においては弦巻ばねであり、左側面に配置されている。反転ばね２０６の端部はバリア１１１側のばね掛け軸２０７とフード前カバー２０１側のばね掛け軸２０８とに引っ掛けられている。そして、後述するように、反転ばね２０６はバリア１１１を閉位置に向けて又は開位置に向けて付勢し、バリア１１１を閉位置と開位置の各位置で保持する。
【００１９】
図３は、フード前カバー２０１と内部部品とを示す図である。図３（ａ）は、フード前カバー２０１の右側面図である。フード前カバー２０１の右側面には、上側スライド軸３０１と、下側スライド軸３０２と、ダンパ取り付け部３０３とが設けられている。上側スライド軸３０１及び下側スライド軸３０２の機能については、図３（ｄ）を参照して後述する。
【００２０】
図３（ｂ）は、フード前カバー２０１の左側斜視図である。フード前カバー２０１の後ろ面には、右側バリア回転軸受け３０４と左側バリア回転軸受け３０５とが設けられており、また、フード後カバー２０２との締結部３０６が４カ所に設けられている。フード前カバー２０１は、撮像レンズ前玉部１０３のために設けられたフード開口部３０７を有しており、フード前カバー２０１の左側面にばね掛け軸２０８を有している。
【００２１】
フード前カバー２０１は、四角錐状に形成されたフード内壁３０８と、測距センサの開口部１１３から四角錐状に形成された測距センサ内壁３０９とを有する。フード内壁３０８は、ビデオカメラ１０１の撮像レンズの画角がけられない範囲で形成された面に沿って所定の肉厚で形成されている。測距センサ内壁３０９も、測距センサの有効光束がけられない範囲で形成された面に沿って所定の肉厚で形成されている。
【００２２】
フード前カバー２０１には、バリア１１１を組み込み時に挿通させるためのバリア挿通穴３１０が設けられている。図３（ｃ）は、バリア挿通穴３１０からバリア１１１を挿通させている途中の状態を示す斜視図である。バリア１１１は、バリア１１１を回転動作により閉位置と開位置との間で移動可能とする回転軸であるバリア回転軸３１１を有する。また、バリア１１１は、バリア回転軸３１１の左側端部にばね掛け軸２０７が形成されている。また、バリア１１１は、撮像レンズ前玉部１０３を保護するレンズ保護部３１２と、スライド部材２０４と係合するカムシャフト３１３と、カムシャフト３１３が形成されたカムシャフト支持部３１４とを有する。
【００２３】
フード前カバー２０１に形成されたバリア挿通穴３１０にレンズ保護部３１２を挿通し、バリア回転軸３１１が右側バリア回転軸受け３０４及び左側バリア回転軸受け３０５に接触するようにして、バリア１１１をフード前カバー２０１に組み付ける。図３（ｄ）は、バリア１１１をフード前カバー２０１に組み付けた後に、更にスライド部材２０４とダンパ２０５を組み付けた状態を示す右側斜視図である。バリア１１１に設けられたカムシャフト３１３がスライド部材２０４に設けられたカムガイド穴３１５に挿通され、スライド部材２０４のスライドガイド穴３１６がフード前カバー２０１に設けられた上側スライド軸３０１と下側スライド軸３０２とに嵌合する。
【００２４】
スライド部材２０４に対してダンパ２０５が取り付けられる。図３（ｅ）は、スライド部材２０４とダンパ２０５の組み付け状態を示す斜視図である。スライド部材２０４に設けられたギア部３１７とダンパ２０５の回転ギア３１８とが係合し、ダンパ２０５の内部に充填された粘性流体によって回転ギア３１８の回転運動に抵抗が加わることにより、スライド部材２０４の動きに抵抗が与えられる構成となっている。また、バリア１１１のカムシャフト支持部３１４をバリア回転軸３１１を中心とした略扇形の形状として、スライド部材２０４のカムガイド穴３１５との接触面を大きく取っている。これにより、バリア１１１の回転時の引っ掛かりを防ぐと共に、フード前カバー２０１のフード内壁３０８との干渉を防いでいる。
【００２５】
図４（ａ）〜（ｆ）は、レンズフード１１０からフード後カバー２０２を外した状態で、バリア１１１が閉位置、中立位置及び開位置との間で移動する様子を右側面と左側面とから見て示す側面図である。
【００２６】
図４（ａ）は、バリア１１１が閉位置にあるときの右側面図である。図４（ｂ）は、バリア１１１が閉位置にあるときの左側面図である。バリア１１１が閉位置にあるとき、図４（ａ）に示すように、スライド部材２０４のカムガイド穴３１５の上端側にバリア１１１のカムシャフト３１３が当接している。このとき、図４（ｂ）に示すように、反転ばね２０６はバリア１１１側のばね掛け軸２０７を矢印Ａ方向（図４（ｂ）での時計回り方向）に付勢することで、バリア１１１を閉位置に保持している。
【００２７】
図４（ｂ）には、バリア１１１側のばね掛け軸２０７の軌跡が破線で示されている。位置４０２は、バリア回転軸３１１の中心とフード前カバー２０１側のばね掛け軸２０８とを結んだ延長線４０１上にバリア１１１側のばね掛け軸２０７がくる位置である。位置４０２は、反転ばね２０６の付勢力が時計回りと反時計回りにバリア回転軸３１１を回転させようと作用する中立位置である。この位置４０２（中立位置）は、バリア１１１の回転端である開位置でのばね掛け軸４０３の位置と閉位置のばね掛け軸４０３の位置の中間（バリア１１１の回転範囲の中心４０４）に対して開位置側に偏っている。
【００２８】
図４（ｃ）は、バリア１１１が中立位置にあるときの右側面図である。図４（ｄ）は、バリア１１１が中立位置にあるときの左側面図である。図４（ｃ）に示すように、スライド部材２０４に設けられたカムガイド穴３１５の上端側にバリア１１１のカムシャフト３１３が当接した状態でスライド部材２０４を下方へ移動させることで、バリア１１１を矢印Ｂ方向（時計回り方向）に回転させる。このとき図４（ｄ）に示すように、反転ばね２０６は、バリア１１１側のばね掛け軸２０７とフード前カバー２０１のばね掛け軸２０８との中立位置にある。前述の通り、この中立位置は、バリア１１１の回転範囲の中心４０４ではなく、中心４０４よりも開位置側に偏った位置に設定されている。
【００２９】
図４（ｃ）の状態からバリア１１１が更に開方向（図４（ｃ）の矢印Ｂ方向）に動くと、反転ばね２０６は、図４（ｄ）に示す矢印Ｃ方向（図４（ｄ）での反時計回り方向）の付勢力を発するため、バリア１１１は開方向に動こうとする。つまり、図４（ｅ）に示すように、バリア１１１のカムシャフト３１３はスライド部材２０４のカムガイド穴３１５の下端に当接する方向に付勢される。図４（ｅ）は、バリア１１１が開位置にあるときの右側面図である。図４（ｆ）は、バリア１１１が開位置にあるときの左側面図である。図４（ｆ）に示すように、バリア１１１が開位置にあるときには、反転ばね２０６はバリア１１１を矢印Ｃ方向（図４（ｆ）での反時計回り）に付勢しているため、バリア１１１は開位置に保持される。
【００３０】
ここで、図４（ｆ）に示す開位置での反転ばね２０６の長さ４０５は、図４（ｂ）に示す閉位置での反転ばね２０６の長さ４０６よりも長い。そのため、バリア１１１に対する反転ばね２０６の付勢力は、バリア１１１が開位置にあるときの方が閉位置にあるときよりも大きい。これにより、ビデオカメラ１０１による撮影中に不用意にバリア１１１が閉じてしまうことを防ぐことができる。
【００３１】
図５は、スライド部材２０４に設けられたカムガイド穴３１５の位置の変化を示す図である。図５（ａ）は、バリア１１１が閉位置にあるときのカムシャフト３１３の位置を示しており、カムシャフト３１３が実線で示されている。これに対して、図５（ａ）では、バリア１１１が図４（ｄ）に示した中立位置にあるときのカムシャフト３１３の位置を破線５０１で、バリア１１１が図４（ｆ）の開位置にあるときのカムシャフト３１３の位置を破線５０２で示している。
【００３２】
図５（ａ）では、バリア１１１の回転範囲の中心線を一点鎖線５０３で示している。図５（ｂ）は、バリア１１１の回転範囲の中心線である一点鎖線５０３上にカムシャフト３１３が位置した状態を示しており、カムシャフト３１３が実線で示されている。図５（ｃ）は、バリア１１１の中立位置にカムシャフト３１３が位置した状態を示しており、カムシャフト３１３が実線で示されている。
【００３３】
カムガイド穴３１５は、均一幅のガイド穴ではなく、スライド部材２０４のスライド方向と直交する方向に沿って、バリア回転軸３１１から離れるに従って（後方に行くに従って）幅が広がる形状（略台形形状）となっている。これは、バリア１１１を閉位置から開位置へ移動させるためにスライド部材２０４をスライドさせる際に、図５（ａ）に示すように、カムガイド穴３１５の側面（斜面）とカムシャフト３１３が当接する位置で、バリア１１１の回転方向（時計回り方向）に分力５０４を発生させることを目的としている。この分力５０４が発生することにより、バリア１１１の動き出しの力に及ぼすカムシャフト３１３とカムガイド穴３１５との間の摩擦力を軽減することができる。なお、バリア１１１が開位置から閉位置に移動する際も同様の作用が働く。
【００３４】
しかしながら、カムガイド穴３１５を図５（ａ）のように後方（撮像装置側）の幅が広い形状とした場合には、後方の幅の広い位置ではカムシャフト３１３に対するカムガイド穴３１５の遊び量が大きくなる。つまり、上下方向での動きの自由度が増してしまうため、動作時のがたつきが大きくなるおそれがある。
【００３５】
そこで、このがたつきを目立たなくするために、図４（ｄ）等を参照して説明したように、反転ばね２０６の中立位置を偏らせた構造としている。つまり、図５（ｂ）は、カムシャフト３１３が最もがたつきの大きい位置（バリア１１１が回転角度の中心にあり、カムシャフト３１３とカムガイド穴３１５との間の上下方向の空間が最も広くなる位置）にあるときの状態を示している。この状態では、反転ばね２０６は中立位置よりも閉位置側にあるため、カムシャフト３１３は閉じ方向に付勢されている。
【００３６】
反転ばね２０６が中立位置にあるときのカムシャフト３１３とカムガイド穴３１５の位置関係は、図５（ｃ）に示す状態となっている。図５（ｃ）に示す様に、本実施形態では、図５（ｂ）の状態よりもカムガイド穴３１５の幅が小さい位置で、つまり図５（ｂ）よりもがたつきの少ない位置で、カムシャフト３１３はカムガイド穴３１５の側面に当接する。
【００３７】
次に、フード後カバー２０２の構造について説明する。図６（ａ）は、フード後カバー２０２を単体で示す背面図である。図６（ｂ）は、フード後カバー２０２にフード前カバー２０１を取り付けた状態を示す背面図である。フード後カバー２０２の上下には、バリア１１１の構造を外観から遮蔽する目隠し部６０１が設けられている。
【００３８】
本実施形態では、フード後カバー２０２には、ビデオカメラ１０１の本体と係合するための係合爪２０３を複雑な金型を用いずに成形するために、３カ所の係合爪２０３のそれぞれの前方には穴６０２が開いている。そこで、この穴６０２を、図６（ｂ）に示すように、フード前カバー２０１に形成された目隠し壁６０３によって塞ぐ構造としており、これにより、レンズフード１１０の内部構造部を外部から遮蔽している。
【００３９】
図７は、バリア１１１が開位置にあるときのレンズフード１１０のｘ−ｙ断面図である。レンズフード１１０のビデオカメラ１０１本体側には、ビデオカメラ１０１に取り付けるフィルタを避ける空間７０１が所定の距離で設けられている。また、撮像レンズ（撮像レンズ前玉部１０３のみを図示する）の画角７０２から所定距離だけ逃げた位置にフード開口部３０７が設けられている。
【００４０】
フード開口部３０７の下端側面３０７ａと下側フード端７０３とを結ぶ線７０４が、撮像レンズの画角７０２から所定距離だけ平行移動した位置にくるように、下側フード端７０３の位置は定義される。同様に、開位置にあるバリア１１１の先端７０５とフード開口部３０７の上側側面３０７ｂとを結ぶ線７０６は、撮像レンズの画角７０２から所定距離だけ平行移動した位置にくるように、バリア１１１の位置が定義される。
【００４１】
つまり、フード開口部３０７の下端側面３０７ａと下側フード端７０３とを結ぶ線７０４とビデオカメラ１０１の撮像レンズ鏡筒の撮像レンズ前玉部１０３の光軸中心線７０７とが成す角度７０８は、フード開口部３０７の上側側面３０７ｂとバリア１１１の先端７０５と結ぶ線７０６と光軸中心線７０７とが成す角度７０９と略等しい。このような位置関係とするためには、フード後カバー２０２の上側フード端７１０の光軸中心線７０７からの距離７１１を、下側フード端７０３の光軸中心線７０７からの距離７１２よりも長くする必要がある。つまり、フード開口部３０７の上側側面３０７ｂと上側フード端７１０とを結ぶ線と光軸中心線７０７とが成す角度７１４は、フード開口部３０７の上側側面３０７ｂとバリア１１１の先端７０５を結ぶ線７１３と光軸中心線７０７とが成す角度７０９よりも大きくなる。
【００４２】
ここで、一般的に、ビデオカメラにフード等を取り付ける場合に、ビデオカメラを床や机等に置いたときにフードが底面側に突出していると、ビデオカメラが傾いてしまい、品位を損ねるという問題やフードに不要な負荷が掛かるという問題がある。これに対して、本実施形態では、レンズフード１１０における光軸中心線７０７から下側フード端７０３までの距離７１２を、光軸中心線７０７から上側フード端７１０までの距離７１１よりも短くしている。これにより、ビデオカメラ１０１を床や机等に置いたときでも、ビデオカメラ１０１が傾くことを防止することができる。そのため、光軸中心からの下端の距離にかかわらずレンズフードをビデオカメラに取り付けて使用することが可能であり、高い汎用性を有する。
【００４３】
また、一般的に、レンズフード１１０の役割は、撮像レンズ前玉部１０３から入射する不要外光を遮断することであり、不要外光は太陽光や照明光のようにビデオカメラ１０１に対して上側から入射することが多い。これに対して、本実施形態に係るレンズフード１１０は、開位置のバリア１１１を収納するために、ビデオカメラ１０１に対するフード取り付け位置７１５から上側フード端７１０までの距離７１６がフード取り付け位置７１５から下側フード端７０３までの距離７１７よりも長い。そのため、撮像レンズ前玉部１０３から入射する不要外光の遮断性能が向上している。
【００４４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、レンズフード１１０は、内部部材として反転ばね２０６を備えるとしたが、反転ばね２０６に代えて、同等の機能を有する弾性部材（例えば、ゴム材等）を用いることも可能である。
【符号の説明】
【００４５】
１０１    （デジタル）ビデオカメラ
１０３    撮像レンズ前玉部
１１０    レンズフード
１１１    バリア
２０１    フード前カバー
２０２    フード後カバー
２０４    スライド部材
２０６    反転ばね
３１１    バリア回転軸
３１３    カムシャフト
３１５    カムガイド穴
【図１】
2014126792.tif 000003
【図２】
2014126792.tif 000004
【図３】
2014126792.tif 000005
【図４】
2014126792.tif 000006
【図５】
2014126792.tif 000007
【図６】
2014126792.tif 000008
【図７】
2014126792.tif 000009